(57)【要約】【課題】剛性のあるもとすることにより取り扱い易く、１つのもので排泄された直後の尿とそうでないものとの分離が行え、しかも尿の視認や検査を簡単かつ正確に行えるようにすること。【解決手段】半割体形状に形成した表側面１０と裏側面２０とを、その各側壁にて一体化することにより、導尿口から入ってくる尿を導入する空間を内部に形成するようにした導尿容器１００であって、両側面１０・２０内に、各側壁と同じ高さの区画壁を設けて、この区画壁同士を、各側壁と同時に一体化することにより、導尿口に直接連なる精密測定部３１と、この精密測定部３１の下方を主たる部分とする貯留部３２とを形成したこと。【選択図】図１
2005261751.tif 000002
【特許請求の範囲】
【請求項１】
半割体形状に形成した表側面と裏側面とを、その各側壁にて一体化することにより、導尿口から入ってくる尿を導入する空間を内部に形成するようにした導尿容器であって、
前記両側面内に、前記各側壁と同じ高さの区画壁を設けて、この区画壁同士を、前記各側壁と同時に一体化することにより、前記導尿口に直接連なる精密測定部３１と、この精密測定部の下方を主たる部分とする貯留部とを形成したことを特徴とする導尿容器。
【請求項２】
前記表側面の、前記精密測定部または貯留部に対向する部分のいずれか少なくとも一方に、導入された尿を外部から視認できる窓を設けたことを特徴とする請求項１に記載の導尿容器。
【請求項３】
前記精密測定部に対向する窓は、少なくとも小部分と大部分とを有したことを特徴とする請求項２に記載の導尿容器。
【請求項４】
前記精密測定部に対向する窓または前記貯留部に対向する窓と、前記裏側面との間の間隔を、前記精密測定部または貯留部の他の部分より狭くして、前記窓を通して入る光が前記裏側面の内面で反射するようにしたことを特徴とする請求項２または請求項３に記載の導尿容器。
【発明の詳細な説明】
【背景技術】
【０００１】
この種の導尿容器としては、例えば特許文献１に記載された「導尿しやすいドレンバッグ」が知られている。このドレンバッグは、患者が寝たまま尿を採取できるようにしたものであり、尿採取用チューブ（一般的には導尿カテーテルと呼ばれている）の一方の端部を患者の膀胱に取り付けて、他端部をベッドの下側に吊り下げられた当該ドレンバッグに導通するようにしたものである。これにより、採取された患者の尿は、尿採取用チューブを介してドレンバッグへ収容される。
【０００２】
この特許文献１に記載されたドレンバッグは、軟質塩化ビニル樹脂等により袋状に形成されていて、図１０に示すように、その下部に収容された尿を排出するための尿排出用チューブを連結するようにしている。このドレンバッグは、その尿排出用チューブをクリップで緊結することによって尿の排出を停止するものであり、所謂「溲瓶」を使用することよりは、便利となっているものである。
【特許文献１】特開平９−１７３４４０号公報、図１
【発明の開示】
【発明が解決しようとする課題】
【０００３】
ところで、この種の導尿容器は、手術中の患者に取り付けておき、その中に貯まった尿の状態、特に色や量を視認することによって、患者の状態を確認する際にも使用されるものであるし、手術後の回復状況の確認をする際にも使用される。
【０００４】
手術後の回復状況を「尿の量」によって確認するときは、略１日をサイクルとして見ればよいことが多いから、尿量の測定をそれ程厳しく行う必要はないが、例えば手術中では、患者の尿量測定はできるだけ簡単に行えるとよい。手術中の患者の尿量の変化は、患者の容態変化を如実に表すため、手術をしていて非常に忙しい医師であっても、この種の導尿容器を短時間内で見るという簡単な操作で尿量変化の確認が行えると非常によいことになる。
【０００５】
この「尿量」の測定あるいは確認は、上記の特許文献１に記載され、図１０に示したドレンバッグでは、全体を軟質材料によって形成した剛性のない「袋」であるため、これによって尿量の正確な測定を行うことはできないと考えられる。
【０００６】
一方、患者の容態は、手術中であっても手術後であっても、「尿の色」を見ることによって概略は把握できる。この尿の色は、図１０に示した従来のドレンバッグによっても行えるが、この図１０に示したドレンバッグは、その前面のほぼ全体を中が見える半透明材料によって形成されていることが多いため、不潔感がある。
【０００７】
そして、患者の容態は、採取した尿を使って検査されることがあるが、この検査尿の採取は、できれば患者が排泄（排出）した直後がよい。排泄直後の尿は、そのときの患者の容態を最も正確に表しているからである。ところが、図１０に示したような従来の導尿容器であると、この中に既に排泄されている古い尿に新しい尿が混ざってしまうため、この混じり合った尿を検査尿とするには少し問題があることになる。
【０００８】
ところで、この種の導尿容器について、これを実際に扱う看護師の立場に立って考察してみると、次の通りである。この種の導尿容器の通常の尿収容量は、患者の約１日分である。このため、看護師は１日１回以上、収容された尿の排出作業を行わなければならない。看護師が行う作業は、この導尿容器を回収し、収容された尿をトイレで排出した後、当該導尿容器を再使用ための洗浄を行うこと等である。
【０００９】
近年においては、看護師不足とともに看護師への労働負担が多くなってきており、従来の導尿容器に伴う尿の排出作業は、大変負荷のかかるものとなっているだけでなく、看護師にとって精神的苦痛を伴うものである。何故なら、この種の従来一般的に使用されている導尿容器は、上述したように、その前面のほぼ全体が中が見える半透明材料によって形成されていることが多いため、尿が入っているものであることが分かるからである。
【００１０】
そこで、本発明者は、この種の導尿容器について、実際に取り扱う看護師にとっても、手術中の医師にとっても便利なものとするにはどうしたらよいか、について種々検討を重ねてきた結果、本発明を完成したのである。
【００１１】
すなわち、本発明の主たる目的とするところは、剛性のあるもとすることにより取り扱い易く、１つのもので排泄された直後の尿とそうでないものとの分離が行え、しかも尿の視認や検査を簡単かつ正確に行えるようにすることである。
【課題を解決するための手段】
【００１２】
以上の課題を解決するために、まず、請求項１に係る発明の採った手段は、後述する最良の形態の説明中で使用する符号を付して説明すると、
「半割体形状に形成した表側面１０と裏側面２０とを、その各側壁１１・２１にて一体化することにより、導尿口４０から入ってくる尿を導入する空間を内部に形成するようにした導尿容器１００であって、
両側面１０・２０内に、各側壁１１・２１と同じ高さの区画壁１２・２２を設けて、この区画壁１２・２２同士を、各側壁１１・２１と同時に一体化することにより、導尿口４０に直接連なる精密測定部３１と、この精密測定部３１の下方を主たる部分とする貯留部３２とを形成したことを特徴とする導尿容器１００」
である。
【００１３】
すなわち、この請求項１に係る導尿容器１００の基本的な構成は、合成樹脂の射出成型品である表側面１０と裏側面２０とを、例えば振動溶着や接着という手段により互いに接合して、内部に、精密測定部３１及び貯留部３２という尿を導入する空間を形成したことである。ここで、導尿容器１００の正面は、図１に示した面、つまり排尿コック７０を取り付けた面を言うものとし、図１に現れているものが表側面１０である。勿論、裏側面２０は、図２に示すようなものであるが、これらの表裏は適宜選択される（例えば排尿コック７０を裏側面２０に取り付けるようにする）ものである。
【００１４】
表側面１０及び裏側面２０は、合成樹脂を材料として、各区画壁１２・２２の端縁が開口したものとして略箱型に形成されるものであり、各区画壁１２・２２の端縁は、同じ形状及び大きさで開口しているものである。つまり、これらの表側面１０及び裏側面２０は、その内側となる端縁同士を合わせると完全に当接し合い、密閉された精密測定部３１及び貯留部３２を形成する箱型形状のものである。
【００１５】
これらの表側面１０と裏側面２０との一体化を、振動溶着という手段により互いに接合して行うには、図８及び図９に示すように、両側面１０・２０内に、各側壁１１・２１と同じ高さの区画壁１２・２２を設けておいて、各側壁１１・２１の振動溶着時に、これらの区画壁１２・２２同士の振動溶着をも同時に行えばよい。勿論、接着による一体化を行うには、各側壁１１・２１の端縁と区画壁１２・２２の各端縁１２ａ・２２ａに接着剤を塗布すればよい。
【００１６】
以上のように、表側面１０と裏側面２０との一体化を行えば、図１〜図７に示すように、当該導尿容器１００内に、導尿口４０に直接連なる精密測定部３１と、この精密測定部３１の下方を主たる部分とする貯留部３２とが形成されることになる。これらの精密測定部３１及び貯留部３２は、各表側面１０及び裏側面２０内にそれぞれ形成してある区画壁１２・２２によって外部とは勿論、図８に示す表側面１０側のオーバーフロー孔１６を除いて、互いに区画されている。また、各表側面１０及び裏側面２０内にそれぞれ形成してある区画壁１２・２２は、リセットコック８０のためのコック穴８１をも、精密測定部３１及び貯留部３２から区画している。
【００１７】
各区画壁１２・２２は、図８及び図９に示すように、その図示上方に精密測定部３１を形成するものであるが、この精密測定部３１の下方部分は漏斗のように窄ませてある。また、各区画壁１２・２２の窄ませた下方部分には、図示はしていないけれども、リセットコック８０のためのコック穴８１内に連通させるための穴が形成してあり、この穴は、図１に示すリセットコック８０の回動によって開閉されて、精密測定部３１及び貯留部３２間の連通及びその遮断を図るために使用される。
【００１８】
そして、これらの各区画壁１２・２２によって、上部に位置することになる精密測定部３１には、図２及び図５に示す導尿口４０から、導尿管等を介して尿が導入される。なお、導尿口４０の隣には、図２及び図５に示したように、精密測定部３１内に導入された尿の流入量分の空気を排出するための空気孔４１が設けてあるが、この空気孔４１の中には精密測定部３１内に異物が入り込まないようにし、かつ尿の臭いが外に出ないようにするためのフィルターが入れてある。
【００１９】
精密測定部３１内の尿が一杯になれば、図８に示したオーバーフロー孔１６から貯留部３２内に流れ落ちる。勿論、新しい尿をこの精密測定部３１内に貯めたい場合には、古い尿を、当該導尿容器１００全体を傾けてオーバーフロー孔１６から、あるいは後述する最良形態で採用しているリセットコック８０を開けて、貯留部３２内に流し込めばよい。
【００２０】
精密測定部３１の下方に位置する貯留部３２内に貯まった尿は、図１及び図３に示した排尿コック７０から外部に排出すればよい。その作業は、看護師によって行われる場合が多いが、看護師は当該導尿容器１００全体をハンドル部１４・２４を持つことによって簡単に運搬できるし、尿の排出場所では排尿コック７０を開けばよいのであるから、この導尿容器１００内の尿の廃棄作業を簡単に行えるのである。なお、後述する実施形態の導尿容器１００では、その底面にスタンド部１５・２５が形成してあるから、当該導尿容器１００をどこかに置く場合に安定させることができ、またフック２４ａによってどこかに掛けておくこともできる。
【００２１】
ところで、病状検査のために必要な新しい尿の取り出しは、次のようにして行うとよい。すなわち、上述したように、まず、精密測定部３１内の古い尿をオーバーフロー孔１６またはリセットコック８０から貯留部３２内に移動させて排尿コック７０から排出しておく。そして、精密測定部３１内に貯まった新しい尿も、オーバーフロー孔１６またはリセットコック８０から貯留部３２内に移動させて排尿コック７０により取り出せばよいのである。この作業も看護師が行うと思われるが、その作業負担は、先述したように軽減されている。
【００２２】
なお、後述する最良形態に係る導尿容器１００では、図２及び図４に示すように、裏側面２０の精密測定部３１に該当する部分に採尿ポート２７が設けてあり、この採尿ポート２７から新しい尿の取り出しが行えるようにしてある。この尿の取り出しは、採尿用の器具を差し込んで行えるようにしてある。
【００２３】
従って、この請求項１の導尿容器１００は、剛性のあるもとすることにより取り扱い易く、１つのもので排泄された直後の尿とそうでないものとの分離が行え、しかも尿の検査を簡単かつ正確に行えるものとなっているのである。
【００２４】
上記課題を解決するために、請求項２に係る発明の採った手段は、上記請求項１に記載の導尿容器１００について、
「表側面１０の、精密測定部３１または貯留部３２に対向する部分のいずれか少なくとも一方に、導入された尿を外部から視認できる窓５１または５２を設けたこと」
である。
【００２５】
すなわち、この請求項２に係る導尿容器１００は、図１及び図３に示すように、精密測定部３１に対向する部分に、導入された尿を外部から視認できる窓５１を液密的に設け、同じく、貯留部３２に対向する部分に窓５２を液密的に設けたものである。これらの窓５１あるいは５２は、透明または半透明のものが採用されることはいうまでもなく、また、どちらか一方を設けるようにして実施してもよいものである。
【００２６】
これらの窓５１及び５２は、精密測定部３１及び貯留部３２内の尿の量や色を外から視認できるようにしていることは勿論、これを存在させることによって、表側面１０や裏側面２０自体を不透明なものによって形成することができるようにしていることになる。つまり、従来のドレンバッグは、そのほぼ全体を透明または半透明にしたものであったから、尿が外からおおっぴらに見えて不快感を催させるものであったが、本発明に係る導尿容器１００では、これらの窓５１あるいは５２の存在によって、逆に中の尿を必要最小限しか見えないようにしているため、不快感を催させることはないのである。
【００２７】
また、当該導尿容器１００の精密測定部３１に対向する部分に、導入された尿を外部から視認できる窓５１を設けた場合には、この精密測定部３１内に貯められた新しい尿の、単位時間当たりの量や、あるいは患者の現在の容態を示す色を、外部から簡単に視認することができるのである。また、貯留部３２に対向する部分に設けた第２窓５２は、精密測定部３１からオーバーフローしてきた尿の量や色を外部から視認することができて、例えば、当該導尿容器１００内の尿の排出時期、あるいは当該導尿容器１００の交換時期を容易に確認することができることになる。
【００２８】
従って、この請求項２の導尿容器１００は、上記請求項１のそれと同様な機能を発揮する他、第１窓５１または第２窓５２によって、尿の色や量を容易に確認できるものとなっているのである。
【００２９】
上記課題を解決するために、請求項３に係る発明の採った手段は、上記請求項２に記載の導尿容器１００について、
「精密測定部３１に対向する窓５１は、少なくとも小部分５１ａと大部分５１ｂとを有したこと」
である。
【００３０】
すなわち、この請求項３の導尿容器１００では、特に、精密測定部３１に対向する窓５１を、図３に示すように、少なくとも小部分５１ａと大部分５１ｂとを有したものとしたものである。なお、最良形態の導尿容器１００では、第１窓５１の小部分５１ａと大部分５１ｂとの間を順次下窄まりとしてあり、大部分５１ｂの下方部分についても、順次下窄まりとしてある。勿論、これらの各部分には、その位置に対応する尿の量を示す目盛５１ｃが付してある。
【００３１】
この第１窓５１の小部分５１ａと大部分５１ｂとは、それぞれ形状が異なるから、尿の上面の位置がどの位置にあるかを、当該第１窓５１を短時間で見ただけで理解できることになる。つまり、これらの形状の異なる小部分５１ａ及び大部分５１ｂが存在することによって、手術をしていて忙しい医師は、一々目盛５１ｃを読まなくても尿の量を「アナログ的」に、つまり瞬時に理解できるのである。
【００３２】
従って、この請求項３の導尿容器１００は、上記請求項１及び２のそれと同様な機能を発揮する他、第１窓５１からの尿の量を瞬時に確認し得るものとなっているのである。
【００３３】
上記課題を解決するために、請求項４に係る発明の採った手段は、上記請求項２または請求項３に記載の導尿容器１００について、
「精密測定部３１に対向する窓５１または貯留部３２に対向する窓５２と、裏側面２０との間の間隔を、精密測定部３１または貯留部３２の他の部分より狭くして、窓５１または５２を通して入る光が裏側面２０の内面で反射するようにしたこと」
である。
【００３４】
すなわち、この請求項４の導尿容器１００は、第１窓５１または第２窓５２とその内側になる裏側面２０との深さを、他の部分より浅くしたものであり、これにより、窓５１または５２を通して入る光が裏側面２０の内面で十分反射して、この十分な反射光が再び第１窓５１または第２窓５２から外に出るようにしたものである。
【００３５】
当該導尿容器１００は、表側面１０と裏側面２０とを一体化した密閉容器であった。一方、第１窓５１または第２窓５２によって内部の尿の存在（量）や色を確認するには、所謂「バックライト」が必要である。バックライトの確保は、例えば電気的光源を内蔵させることにより行うことはできるが、そのような光源をこの種の導尿容器１００に組み込むことは、コストアップに繋がって事実上困難であるため、小さな第１窓５１または第２窓５２から入射する光だけで行わなければならない。
【００３６】
このため、この請求項４の導尿容器１００では、その第１窓５１または第２窓５２に対応する部分の深さを他の部分よりも小さくするか、あるいは、図９に示すように、裏側面２０の内側に内部丘６０を積極的に形成しておき、その頂面を反射面６２としたものである。つまり、この内部丘６０は、その反射面６２を、例えば第２窓５２の内側に近づけるものであり、結果的に、この第２窓５２の内側の深さを他の部分よりも浅くしたものである。
【００３７】
以上のようにした結果、この導尿容器１００では、その第１窓５１または第２窓５２に対応する部分の深さが他の部分よりも小さくなっているため、そこに存在し得る尿の深さは浅くなっており、第１窓５１または第２窓５２から入射した光の尿による吸収量が小さくなっている。そして、その直ぐ後ろには、光の反射が行える裏側面２０の内面または反射面６２が控えているため、第１窓５１または第２窓５２から入射した光は、ここを通して外部に反射され、十分な「視認光」となるのである。その意味では、裏側面２０の内面や内部丘６０の反射面６２を、光を反射し易い「白色」にしておくとよい。
【００３８】
従って、この請求項４の導尿容器１００では、請求項１〜請求項３に係るそれと同様な機能を発揮する他、第１窓５１または第２窓５２から入った光の反射が良好に行えるため、第１窓５１または第２窓５２による尿の量や色の視認を良好に行えるものとなっているのである。
【発明の効果】
【００３９】
以上詳述した通り、本発明においては、
「半割体形状に形成した表側面１０と裏側面２０とを、その各側壁１１・２１にて一体化することにより、導尿口４０から入ってくる尿を導入する空間を内部に形成するようにした導尿容器１００であって、
両側面１０・２０内に、各側壁１１・２１と同じ高さの区画壁１２・２２を設けて、この区画壁１２・２２同士を、各側壁１１・２１と同時に一体化することにより、導尿口４０に直接連なる精密測定部３１と、この精密測定部３１の下方を主たる部分とする貯留部３２とを形成したこと」
にその主たる構成上の特徴があり、これにより、剛性のあるもとすることにより取り扱い易く、１つのもので排泄された直後の尿とそうでないものとの分離が行え、しかも尿の視認や検査を簡単かつ正確に行える導尿容器１００を提供することができるのである。
【発明を実施するための最良の形態】
【００４０】
次に、以上のように構成した各請求項に係る発明を、図面に示した最良の形態である導尿容器１００について説明するが、この最良形態の導尿容器１００は、上記各請求項に係る発明を実質的に含むものである。
【００４１】
図１及び図２には、本発明に係る導尿容器１００の正面側から見た斜視図と、同背面側からみた斜視図とが示してある。この導尿容器１００は、半割体形状に形成した表側面１０と裏側面２０とを、その各側壁１１・２１にて一体化することにより、導尿口４０から入ってくる尿を導入する空間を内部に形成したものである。
【００４２】
つまり、本発明に係る導尿容器１００は、半割体形状に形成した表側面１０と裏側面２０との各側壁１１・２１によって、図８及び図９に示したように、後述する精密測定部３１及び貯留部３２を包み込むものとし、これらの側壁１１・２１の内側に精密測定部３１及び貯留部３２を区画することになる区画壁１２・２２を形成したものである。そして、これらの表側面１０及び裏側面２０は、その内側同士を突き合わせた状態で振動溶着させることにより、内部に密閉された精密測定部３１及び貯留部３２を有する容器とされるのである。
【００４３】
換言すれば、当該導尿容器１００は、これを構成する両側面１０・２０内に、各側壁１１・２１と同じ高さの区画壁１２・２２を設けておいて、この区画壁１２・２２同士を、各側壁１１・２１の振動溶着による一体化時に一体化することにより、内部に、導尿口４０に直接連なる精密測定部３１と、この精密測定部３１の下方を主たる部分とする貯留部３２とを形成したものである。
【００４４】
なお、精密測定部３１と貯留部３２とを振動溶着するにあたって、本最良形態では、各区画壁１２・２２の端縁１２ａ・２２ａの内側、あるいは各区画壁１２・２２の両側に帯壁部を形成しておくことがなされる。この帯壁部は、表側面１０及び裏側面２０が相対的に振動しあったときに生ずる溶着バリを包み込むものである。
【００４５】
各帯壁部の存在は、振動溶着の初期においては、各側壁１１・２１や区画壁１２・２２は未だ溶融される程加熱されていないため、互いの当接振動によって「溶着バリ」が発生する可能性がある。この「溶着バリ」をそのまま放置すれば、完成後の導尿容器１００内に散乱する可能性があるのであるが、帯壁部によって「溶着バリ」がその内側に封じ込められるのである。
【００４６】
当該導尿容器１００を構成する表側面１０の内側であって、区画壁１２の図示上側部分は、図８に示したように、裏側面２０の区画壁２２とともに形成される精密測定部３１となる部分であり、区画壁１２の図示下側部分は裏側面２０の区画壁２２とともに形成される貯留部３２となる部分である。また、この精密測定部３１の、図８に示した図示右上部分には、当該精密測定部３１内に一杯となった尿を貯留部３２内にオーバーフローさせるためのオーバーフロー孔１６が形成してある。
【００４７】
また、この導尿容器１００の下方部分には、図１、図３、及び図５〜図７に示したように、内部の尿を排出するための排尿コック７０が設けられるのであるが、この排尿コック７０は、図８及び図９に示したように、表側面１０及び裏側面２０の下方部分に形成したコック穴７１内に取付けられるものである。そして、この導尿容器１００の中央部分には、図１及び図３に示したように、精密測定部３１の尿を貯留部３２側に流すためのリセットコック８０が設けられるのであるが、このリセットコック８０は、図８及び図９に示したように、表側面１０及び裏側面２０の区画壁１２・２２によって区画されている部分に形成したコック穴８１内に設けられるものである。
【００４８】
勿論、この導尿容器１００は、その全体を手で持って搬送し易くするために、表側面１０及び裏側面２０の上部に、図８及び図９に示したように、ハンドル部１４・２４を形成したものであり、また、当該導尿容器１００を吊り下げるためのフック２４ａを、裏側面２０側のハンドル部２４の上部に一体的に形成したものである。そして、当該導尿容器１００は、机の上等にも載置することがあるため、各表側面１０及び裏側面２０の下部には、図１、図２図６、及び図７に示したように、スタンド部１５・２５がそれぞれ一体的に形成してある。
【００４９】
また、この導尿容器１００は、その中に患者からの尿を導尿管等を介して導入するものであるから、この導入する際の導尿管等の接続を行うための導尿口４０が、図２及び図５に示したように、裏側面２０の上面側に形成してある。なお、この導尿口４０の隣には、図２及び図５に示したように、精密測定部３１内に導入された尿の分の空気を排出するための空気孔４１が設けてあり、この空気孔４１の中には精密測定部３１内に異物が入り込まないようにし、かつ尿の臭いが外に出ないようにするためのフィルターが入れてある。
【００５０】
本最良形態の導尿容器１００では、その精密測定部３１内の尿をその下部にある貯留部３２内に直接流下させることができるようにもしているが、これを行うのが前述したリセットコック８０である。このリセットコック８０は、その操作摘みを図３に示すように外に出しているものであり、本体は、図８及び図９に示したコック穴８１内に回動自在に挿入されるものである。このため、このリセットコック８０が挿入されるコック穴８１には、当該リセットコック８０によって精密測定部３１及び貯留部３２を連通させるための穴が形成してあり、これらの穴は、図４に示した裏側面２０側のバイパス通路２３によって連通するようにしてある。
【００５１】
なお、本最良形態の導尿容器１００では、上述したリセットコック８０の保護を行うために、図３に示したように、これが突出している表側面１０の表面に凹所１３を形成しておき、この凹所１３内にリセットコック８０が収まるようにしてある。また、この導尿容器１００では、図４に示したように、裏側面２０の精密測定部３１を形成している部分を突出させており、この部分と貯留部３２を形成している部分との間に凹所２６を形成している。従って、この凹所２６内には、上述したバイパス通路２３の形成空間が確保されているのである。
【００５２】
また、この導尿容器１００では、図４に示したように、その精密測定部３１内の尿を直接採ることができるようにするための採尿ポート２７が形成してある。この採尿ポート２７は、通常は精密測定部３１を閉じておくものであるが、採尿器の吸引針を差し込めるようにしているものである。
【００５３】
さらに、この導尿容器１００では、その表側面１０の、精密測定部３１及び貯留部３２に対向する各部分に、図１及び図３に示したように、導入された尿を外部から視認するための第１窓５１及び第２窓５２が、それぞれ設けてある。
【００５４】
第１窓５１は、精密測定部３１に対向するものであるが、これに形成した小部分５１ａと大部分５１ｂとは所定の間隔をおいて形成したものであり、これらの間は、図３に示したように、順次下窄まりとした連結部分によって連続したものとしてある。なお、大部分５１ｂの下方部分についても、順次下窄まりとしてある。勿論、これらの各部分には、その位置に対応する尿の量を示す目盛５１ｃが付してある。
【００５５】
以上のように、本実施形態に係る導尿容器１００において、第１窓５１の形状を単純な四角にしなかったのは、この第１窓５１が形の異なる小部分５１ａ及び大部分５１ｂを有するような形状とすることによって、尿面が当該第１窓５１のどの位置にあるのかを簡単に視認できるようにするためであり、尿面が小部分５１ａまたは大部分５１ｂのどの位置にあるのかによって、直ちに尿量が分かるようにするためである。
【００５６】
一方、第２窓５２は、排尿コック７０の直上にて、「く」の字状のものとして形成してあり、その表面には、目盛５２ａが付してある。勿論、この第２窓５２は第１窓５１と同様に、表側面１０に対して「二色成形」したものである。
【００５７】
そして、本実施形態の導尿容器１００では、第１窓５１と第２窓５２と、裏側面２０との間の深さが、精密測定部３１または貯留部３２の他の部分より浅くなるようにしている。この浅くする方法として、本最良形態の第１窓５１では、次の第１の方法を、第２窓５２では、次の第２の方法を採用しているが、どちらを適用するかは、適宜変更できる。
【００５８】
第１窓５１を裏側面２０に対して浅くする第１の方法は、表側面１０及び裏側面２０に前述した凹所１３・２６を形成することによって、両表側面１０及び裏側面２０間の隙間を小さくすることである。しかしながら、この第１の方法を全ての部分に適用すれば、導尿容器１００の容積自体に制限を受けることになるから、必要に応じて第２の方法を採用すればよい。この第２の方法は、貯留部３２を形成している例えば裏側面２０の内面に、図９中の仮想線にて示したような内部丘６０を形成しておく。この内部丘６０の反射面６２は、当然貯留部３２内にて突出するものであり、第２窓５２に向けて裏側面２０の他の部分より近づくことになるものである。
【００５９】
以上のようにした結果、この導尿容器１００では、その第１窓５１または第２窓５２に対応する部分の深さが他の部分よりも小さくなっているため、そこに存在し得る尿の深さは浅くなっており、第１窓５１または第２窓５２から入射した光の尿による吸収量を小さくできるのである。そして、その直ぐ後ろには、光の反射が行える裏側面２０の内面または反射面６２が控えているため、第１窓５１または第２窓５２から入射した光は、ここを通して外部に反射され、十分な「視認光」となるのである。本最良形態では、裏側面２０の内面や内部丘６０の反射面６２を、光を反射し易い白色にしてある。
【００６０】
これにより、この導尿容器１００では、第１窓５１または第２窓５２から入った光の反射を良好に行えるのであり、第１窓５１または第２窓５２による尿の量や色の視認を良好に行える。
【図面の簡単な説明】
【００６１】
【図１】本発明に係る導尿容器の前面側からみた斜視図である。
【図２】同導尿容器の後面側からみた斜視図である。
【図３】同導尿容器の正面図である。
【図４】同導尿容器の背面図である。
【図５】同導尿容器の平面図である。
【図６】同導尿容器の底面図である。
【図７】同導尿容器の右側面図である。
【図８】同導尿容器を構成している表側面の内面図である。
【図９】同導尿容器を構成している裏側面の内面図である。
【図１０】従来の技術に係るドレンバッグの正面図である。
【符号の説明】
【００６２】
１００    導尿容器
１０    表側面
１１    側壁
１２    区画壁
１２ａ  端縁
１３    凹所
１４    ハンドル部
１５    スタンド部
１６    オーバーフロー孔
２０    裏側面
２１    側壁
２２    区画壁
２２ａ  端縁
２３    バイパス通路
２４    ハンドル部
２４ａ  フック
２５    スタンド部
２６    凹所
２７    採尿ポート
３１    精密測定部
３２    貯留部
４０    導尿口
４１    空気孔
５１    第１窓
５１ａ  小部分
５１ｂ  大部分
５１ｃ  目盛
５２    第２窓
５２ａ  目盛
６０    内部丘
６１    反射面
７０    排尿コック
７１    コック穴
８０    リセットコック
８１    コック穴
【図１】
2005261751.tif 000003
【図２】
2005261751.tif 000004
【図３】
2005261751.tif 000005
【図４】
2005261751.tif 000006
【図５】
2005261751.tif 000007
【図６】
2005261751.tif 000008
【図７】
2005261751.tif 000009
【図８】
2005261751.tif 000010
【図９】
2005261751.tif 000011
【図１０】
2005261751.tif 000012